(57)【要約】【課題】ズボンのベルト通しに通過させる必要のない衣服ウエスト調整具を提供することにある。【解決手段】伸縮ベルト１の両端に伸縮ベルト１の伸縮方向と直交する方向に止め具１０が設けられている衣服ウエスト調整具である。止め具１０は、第１プレート１１と、第１プレート両端に開閉自在に取付けられた押え板１３と、第１プレート１１と押え板１３の間で開閉するように設けられた第２プレート１２とからなる。伸縮ベルト１は、第２プレート１２の開閉方向と直交する方向であって、第２プレート１２に取付けられている。【選択図】  図１
2018003186.tif 000002
【特許請求の範囲】
【請求項１】
伸縮ベルトの両端に伸縮ベルトの伸縮方向と直交する方向に止め具が設けられている衣服ウエスト調整具であって、
前記止め具は、第１プレートと、第１プレート両端の支持片に開閉自在に取付けられた押え板と、第１プレートと押え板の間で開閉するように設けられた第２プレートとからなり、
前記伸縮ベルトは、第２プレートの開閉方向と直交する方向であって、当該第２プレートに取付けられていることを特徴とする衣服ウエスト調整具。
【請求項２】
前記伸縮ベルトの端部はループ部を有し、当該ループ部は前記第２プレートに挿入されている請求項1に記載の衣服ウエスト調整具。
【請求項３】
前記伸縮ベルトには、携帯端末機を収納するポケットが取付けられている請求項１に記載の衣服ウエスト調整具。
【発明の詳細な説明】
【技術分野】
【０００１】
この発明は、ズボンやスカート等の衣服のウエスト長さを調整するための衣服ウエスト調整具に関するものである。  
【背景技術】
【０００２】
ズホンやスカートの購入時には、身体のウエストに合わせて購入する。しかし、身体が細くなるとウエスト長さに余裕を生じ、ズホンやスカートがずり落ちる。
【０００３】
このような課題を解決するものとして、特許文献１、特許文献２のような衣服ウエスト調整具が提案されている。
特許文献１のものは、ベルト本体の両端にクリップを取付けたウエスト調整具をその一旦側からズボンのベルト通し、両端の各クリップをズボンのベルト通しにそれぞれ固定し、そのベルト通しの間にベルト本体を装着するようにしたものである。
また、特許文献２のものは、弾性帯紐の両端に該弾性帯紐の伸縮方向直交する方向で且つ同じ側に開閉する鰐口状止め金具が設けられており、該止め金具の噛込部を弾性帯紐の延長上に位置させたものである。
【先行技術文献】
【特許文献】
【０００４】
【特許文献１】実用新案登録第３１３０５３５号
【特許文献２】実公平７−２６３２７号公報
【発明の概要】
【発明が解決しようとする課題】
【０００５】
特許文献１の衣服ウエスト調整具によれば、ズボンのベルト通しにウエスト調整具を通しており、革ベルトの装着と同様、ベルト通しが面倒である。また、両端の各クリップをズボンのベルト通しにそれぞれ固定するので、クリップ両端の固定位置がほぼ決まるため、ウエスト調整具のベルト本体の長さを調整するアジャスターがどうしても必要になる。
【０００６】
一方、特許文献２では、弾性帯紐の伸縮方向直交する方向で且つ同じ側に開閉する鰐口状止め金具を設けるとして、鰐口状止め金具の側面にリングを取付けている。そのため、
通常ズボンのサスペンダーに使われている止め金具のリング位置と異なり、全く別の止め金具を用意しなければならないことになる。
【課題を解決するための手段】
【０００７】
この発明の第１の要旨は、伸縮ベルトの両端に伸縮ベルトの伸縮方向と直交する方向に止め具が設けられている衣服ウエスト調整具であって、
前記止め具は、第１プレートと、第１プレート両端の支持片に開閉自在に取付けられた押え板と、第１プレートと押え板の間で開閉するように設けられた第２プレートとからなり、
前記伸縮ベルトは、第２プレートの開閉方向と直交する方向であって、当該第２プレートに取付けられていることを特徴とする衣服ウエスト調整具である。
また、この発明の第２の要旨は、第１の要旨において、前記伸縮ベルトの端部はループ部を有し、当該ループ部は前記第２プレートに挿入されている衣服ウエスト調整具である。
さらに、この発明の第３の要旨は、第１の要旨において、前記伸縮ベルトには、携帯端末機を収納するポケットが取付けられている衣服ウエスト調整具である。   
【発明の効果】
【０００８】
以上のように、本発明の衣服ウエスト調整具によれば、衣服のウエスト部の任意の位置に装着してウエスト長さを調整できるので、衣服のウエストを身体に一致させることができ、衣服がずり落ちるのを防止できる。
また、この衣服ウエスト調整具は、衣服への着脱が簡単であり、他の衣服に簡単に付け替えて使用することができる。また、ウエスト部の内側にも装着できるので、目立たないように使用することができる。
【図面の簡単な説明】
【０００９】
【図１】衣服ウエスト調整具の斜視図
【図２】衣服ウエスト調整具をズボンに装着した一部側面図
【発明を実施するための形態】
【００１０】
図は本発明の一実施例を示したもので、図１は衣服ウエスト調整具の斜視図、図２は衣服ウエスト調整具をズボンに装着した一部側面図である。
図中、衣服ウエスト調整具は、伸縮ベルト１と、止め具１０とから構成されている。
まず、止め具１０の構造について説明する。この止め具１０は、ベースプレートとなる第１プレート１１と、第２プレート１２と、押え板１３とからなる。第２プレート１２はその右側端部が第１プレート１１に対して開閉可能に設けられている。押え板１３はベースプレートの第１プレート１１の両側縁にある支持片１４に開閉自在にサポートされている。
【００１１】
図１において、左側の止め具１０について説明すると、立っている状態にある押え板１３を左下側に回動させると、押え板１３の舌片１５が第２プレート１２を押下げる。
一方、伸縮ベルト１は、その両端にループ部２を有しており、図１の左側に示しているように、止め具１０の第２プレート１２にループ部２が挿入されている。この状態で支持片１４に開閉自在にサポートされている押え板１３を回動させ、舌片１５で第２プレート１２を押下げると、右側に示した止め具１０のように、伸縮ベルト１を挟持した状態となる。
【００１２】
次ぎに、このような構成からなる衣服ウエスト調整具をズボンに取付けて、ウエストを調整することについて説明する。
図１の左側の止め具１０のように、第２プレート１２に伸縮ベルト１のループ部２を挿入する。この状態ままで、つまり、押え板１３を右側に開放した状態で、ズボン、スカートなどの被装着体を第２プレート１２と押え板１３とで挟み、そののち、押え板１３を左側に回動して、伸縮ベルト１と一緒に挟みこむことで衣服ウエスト調整具を取付ける。このような動作で、ズボン、スカートなどのウエストを調整することができる。
【００１３】
図２は衣服ウエスト調整具をズボンのウエストに取付けた状態を示している。図２において、ズボン２０のウエスト２１に、伸縮ベルト１を挟み込んだ状態で左右の止め具１０を取付けている。なお、図２において、ベルト通し２２と、携帯端末機を収納するポケット２３を示し、このポケット２３は伸縮ベルト１に取付けられている。この場合、携帯端末機をズボン２０のポケット２４に収納した場合、椅子等に着座すると携帯端末機が臀部辺りにあるので、力が加わって携帯端末機を破損する恐れがあったが、この使用例ではポケット２３の位置が腰辺りなのでこのような危惧はなくなる。
【００１４】
上記したように、この発明の衣服ウエスト調整具をウエストに装着することにより、ズボンを脱着する際、ベルトを操作することなく容易に脱いだり、はいたりすることができる。
また、この発明の衣服ウエスト調整具によれば、従来あるサスペンダーの止め具をそのまま活用することができる。
【符号の説明】
【００１５】
１    伸縮ベルト
１０  止め具
１１  第１プレート
１２  第２プレート
１３  押え板
１４  支持片
１５  舌片
【図１】
2018003186.tif 000003
【図２】
2018003186.tif 000004
【手続補正書】
【提出日】平成28年10月27日(2016.10.27)
【手続補正１】
【補正対象書類名】特許請求の範囲
【補正対象項目名】全文
【補正方法】変更
【補正の内容】
【特許請求の範囲】
【請求項１】
伸縮ベルトの両端に伸縮ベルトの伸縮方向と直交する方向に止め具が設けられている衣服ウエスト調整具であって、
前記止め具は、第１プレートと、第１プレート両端の支持片に開閉自在に取付けられた押え板と、第１プレートと押え板の間で開閉するように設けられた第２プレートとからなり、
前記伸縮ベルトは、その端部にループ部を有し、当該ループ部のループ内に前記第２プレートが挿入されて、第２プレートの開閉方向と直交する方向に取付けられていることを特徴とする衣服ウエスト調整具。
【請求項２】
前記伸縮ベルトには、携帯端末機を収納するポケットが取付けられている請求項１に記載の衣服ウエスト調整具。
【手続補正２】
【補正対象書類名】明細書
【補正対象項目名】０００７
【補正方法】変更
【補正の内容】
【０００７】
この発明の第１の要旨は、伸縮ベルトの両端に伸縮ベルトの伸縮方向と直交する方向に
止め具が設けられている衣服ウエスト調整具であって、
前記止め具は、第１プレートと、第１プレート両端の支持片に開閉自在に取付けられた押え板と、第１プレートと押え板の間で開閉するように設けられた第２プレートとからなり、
前記伸縮ベルトは、その端部にループ部を有し、当該ループ部のループ内に前記第２プレートが挿入されて、第２プレートの開閉方向と直交する方向に取付けられていることを特徴とする衣服ウエスト調整具である。
さらに、この発明の第２の要旨は、第１の要旨において、前記伸縮ベルトには、携帯端末
機を収納するポケットが取付けられている衣服ウエスト調整具である。  
【手続補正３】
【補正対象書類名】明細書
【補正対象項目名】００１１
【補正方法】変更
【補正の内容】
【００１１】
図１において、左側の止め具１０について説明すると、立っている状態にある押え板１３
を左下側に回動させると、押え板１３の舌片１５が第２プレート１２を押下げる。
一方、伸縮ベルト１は、その両端にループ部２を有しており、図１の左側に示しているよ
うに、止め具１０の第２プレート１２がループ部２に挿入されている。この状態で支持片
１４に開閉自在にサポートされている押え板１３を回動させ、舌片１５で第２プレート１
２を押下げると、右側に示した止め具１０のように、伸縮ベルト１を挟持した状態となる
。